(57)【特許請求の範囲】
【請求項１】
熱処理槽内の上部空間に配置され、被処理物を本加熱する均熱室と、
前記熱処理槽内の下部空間を横方向に分割した一方の空間に配置され、下方に被処理物の搬入口を有し、被処理物を予熱する予熱室と、
前記下部空間を横方向に分割した他方の空間に配置され、下方に被処理物の搬出口を有し、被処理物を冷却する冷却室と、
被処理物を前記予熱室から前記均熱室に縦搬送し、当該均熱室で被処理物を横方向に移動させた後、被処理物を当該均熱室から前記冷却室へ縦搬送する搬送装置とを備え、
被処理物の搬送及び搬送停止と同期して前記予熱室及び冷却室と前記均熱室との境界部を開閉するシャッタが設けられたことを特徴とする連続熱処理装置。
【発明の詳細な説明】
【０００１】
【発明の属する技術分野】
本発明は、熱処理装置に関する。
【０００２】
【従来の技術及び発明が解決しようとする課題】
従来、板状体その他電子部品等の被処理物に対して予熱、均熱及び冷却の連続熱処理を施す場合、各処理室を水平方向に連続して配置した熱処理装置が用いられていた。しかしながら、このような熱処理装置は広い設置面積を要するため、限られた敷地内での設置は困難な場合があった。
【０００３】
上記のような従来の問題点に鑑み、本発明は、設置面積がコンパクトな連続熱処理装置を提供することを目的とする。
【０００４】
【課題を解決するための手段】
本発明の連続熱処理装置は、熱処理槽内の上部空間に配置され、被処理物を本加熱する均熱室と、前記熱処理槽内の下部空間を横方向に分割した一方の空間に配置され、下方に被処理物の搬入口を有し、被処理物を予熱する予熱室と、前記下部空間を横方向に分割した他方の空間に配置され、下方に被処理物の搬出口を有し、被処理物を冷却する冷却室と、被処理物を前記予熱室から前記均熱室に縦搬送し、当該均熱室で被処理物を横方向に移動させた後、被処理物を当該均熱室から前記冷却室へ縦搬送する搬送装置とを備え、被処理物の搬送及び搬送停止と同期して前記予熱室及び冷却室と前記均熱室との境界部を開閉するシャッタが設けられたたものである（請求項１）。
【０００５】
上記のように構成された連続熱処理装置（請求項１）では、搬入された被処理物が予熱室から均熱室へ上昇し、横移動を経て、均熱室から冷却室の下部へ下降する。このような上昇／下降の縦搬送を主体とした送り動作により、横方向への装置の広がりが最小限に抑えられる。また、被処理物を搬送するときはシャッタを開き、搬送停止でシャッタを閉じることにより、均熱室の均熱性が確保されるとともに、熱エネルギーの損失が低減される。
【０００６】
【発明の実施の形態】
図１は、本発明の一実施形態による連続熱処理装置の正面図である。図において、当該連続熱処理装置の熱処理槽１は、断熱材の隔壁２によって、上部空間と下部空間とに区画され、下部空間はさらに、断熱材の隔壁３によって横方向に分割されている。すなわち、熱処理槽１内の空間は、隔壁２及び３によって熱的に３つの空間に区画されている。このうち左側の下部空間は、被処理物自体又はトレイに載置された状態の被処理物（以下、単に被処理物という。）４を予熱する機能を備えた予熱室Ｃ１であり、その内壁には断熱材５が設けられている。一方、上部空間は、予熱された被処理物４を本加熱する機能を備えた均熱室Ｃ２であり、その内壁には断熱材６が設けられている。また、右側の下部空間は、本加熱された被処理物４を自然冷却又は強制冷却する冷却室Ｃ３である。
【０００７】
上記予熱室Ｃ１の下方には被処理物４の搬入口Ｃ１ａが設けられ、投入コンベア７により被処理物４が搬入される。上記冷却室Ｃ３の下方には被処理物４の搬出口Ｃ３ａが設けられ、取出しプッシャ８により被処理物４が搬出される。当該連続熱処理装置の上部から被処理物４に沿って下方へ一対の昇降機９が設けられている。昇降機９は、図１のII−II線断面における主要部の概略形状が、図２に示すようになっている。すなわち、昇降機９の主要部は、爪９１が一定ピッチで取り付けられた無端状チェーン９２を、被処理物４を挟むように対向させて一対配置したものであり、モータ９３（図１）により、一対の無端状チェーン９２が図の矢印方向に移動して、被処理物全体を上昇させることができるようになっている。なお、当該昇降機９は間欠的に作動する。また、図１における右側の昇降機９も同様に構成されているが、一対の無端状チェーン９２は左側の昇降機９とは逆方向に移動して、被処理物全体を下降させることができるようになっている。
【０００８】
図１及び図２において、予熱室Ｃ１及び冷却室Ｃ３と均熱室Ｃ２との境界部には、当該境界部を水平方向に開閉可能な一対のシャッタ１０が設けられている。シャッタ１０の開閉は、被処理物４の搬送及び搬送停止と同期して行われる。すなわち、被処理物４が搬送されるときにはシャッタ１０は互いに離反する方向に開いて戸袋１１に収められている。また、搬送停止により、シャッタ１０が被処理物４間の上下方向の隙間に挿通され、これによって、隔壁２とともに、均熱室Ｃ２を予熱室Ｃ１及び冷却室Ｃ３から遮蔽する。このようにして、均熱室Ｃ２の均熱性が確保されるとともに、熱エネルギーの損失が低減される。従って、均熱室Ｃ２の温度を一定に保ち、電力消費を低減することができる。
【０００９】
また、当該連続熱処理装置の上部には移載機１２が設けられている。この移載機１２は、予熱室Ｃ１から均熱室Ｃ２に入って所定の高さに達した一番上の被処理物１個をつかんで水平に移動し、当該被処理物を右側の昇降機９に載せる役目をする。
上記昇降機９及び移載機１２は、当該熱処理槽１内における搬送装置を構成している。
【００１０】
上記連続熱処理装置において、まず、投入コンベア７により最初の被処理物４が搬入される。続いて、次の被処理物４が搬入されるとき、先に搬入された被処理物４は昇降機９により爪９１の配列ピッチ１個分の高さだけ持ち上げられる。この状態で、その下段に次の被処理物４が挿入される。このような手順を繰り返して被処理物４が順次上方へ搬送される。一定枚数に達したところで一番上の被処理物４から均熱室Ｃ２に入り、さらに上昇して所定の高さに達すると、移載機１２が一番上の被処理物４をつかんで水平に移動し、右側の昇降機９に載せる。その後、右側の昇降機９は、当該被処理物４を、爪９１の配列ピッチ１個分に相当する高さだけ下降させ、次の被処理物４が移載される態勢を整える。このような動作が繰り返され、移載された被処理物４は順次下降していく。最下部まで下降した被処理物４は、取出しプッシャ８により搬出口Ｃ３ａから外部へ取り出される。
【００１１】
上記の搬送処理は、一定周期のタクト動作により行われる。従って、一つの被処理物４が予熱室Ｃ１で予熱される時間、均熱室Ｃ２で本加熱される時間、及び、冷却室Ｃ３で冷却される時間はそれぞれ一定である。
上述のように、当該連続熱処理装置においては、搬入された被処理物４が予熱室Ｃ１から均熱室Ｃ２へ上昇し、移載機１２による横移動を経て、均熱室Ｃ２から冷却室Ｃ３の下部へ下降する。このような上昇／下降の縦搬送を主体とした送り動作により、横方向への装置の広がりが最小限に抑えられるので、装置の設置面積がコンパクトになる。また、被処理物４は縦に並んだ状態で搬送されるため装置内に多数収容でき、一度に多数の被処理物を熱処理することができる。
【００１２】
【発明の効果】
以上のように構成された本発明は以下の効果を奏する。
請求項１の連続熱処理装置によれば、搬入された被処理物が予熱室から均熱室へ上昇し、横移動を経て、均熱室から冷却室の下部へ下降するので、上昇／下降の縦搬送を主体とした送り動作により、横方向への装置の広がりが最小限に抑えられる。従って、装置の設置面積がコンパクトになる。また、被処理物は縦搬送されるため、一度に多数の被処理物を熱処理することができる。
【００１３】
また、被処理物を搬送するときはシャッタを開き、搬送停止でシャッタを閉じることにより、均熱室の均熱性が確保されるとともに、熱エネルギーの損失が低減される。従って、均熱室の温度を一定に保ち、電力消費を低減することができる。
【図面の簡単な説明】
【図１】本発明の一実施形態による連続熱処理装置の正面図である。
【図２】上記連続熱処理装置における昇降機の概略図である。
【符号の説明】
１    熱処理槽
４    被処理物
９    昇降機
１０    シャッタ
１２    移載機
Ｃ１    予熱室
Ｃ１ａ  搬入口
Ｃ２    均熱室
Ｃ３    冷却室
Ｃ３ａ  搬出口
【図１】
0003830757.tif 000002
【図２】
0003830757.tif 000003